(57)【要約】【課題】テレビ番組やＣＭに関する付随情報を必要としている視聴者に適切に提示可能とする。【解決手段】テレビ放送受信装置５は、携帯通信端末６との間で通信を開始するか否かを判別するための判別情報をＲＡＭ５の判別情報格納部５−８−１に記憶しておく。また、テレビ放送受信装置５は、現在の状況と、上記判別情報とに基づいて、携帯通信端末６との間で通信を開始するか否かを判別する。さらに、通信開始に際して、携帯通信端末６が通信可能な位置に存在するか否か判別し、存在する場合には、受信しているテレビ放送に関するテレビ情報を携帯通信端末６に送信する。また、存在しない場合には、携帯通信端末６を強制的に電源オンとし、テレビ放送に関するテレビ情報を携帯通信端末６に送信する。【選択図】図１
2008035056.tif 000002
【特許請求の範囲】
【請求項１】
携帯通信端末と通信可能なテレビ放送受信装置であって、
前記携帯通信端末との間で通信を開始するか否かを判別するための判別情報を記憶する判別情報記憶手段と、
現在の状況を取得する現在状況取得手段と、
前記現在状況取得手段により取得された現在の状況と、前記判別情報記憶手段に記憶されている判別情報とに基づいて、前記携帯通信端末との間で通信を開始するか否かを判別する判別手段と、
前記判別手段により通信を開始すると判別された際に、受信しているテレビ放送に関するテレビ情報を前記携帯通信端末に送信するテレビ情報送信手段と
を具備することを特徴とするテレビ放送受信装置。
【請求項２】
前記判別情報記憶手段は、前記判別情報に対応付けて携帯通信端末の識別情報をさらに記憶しておき、
前記テレビ情報送信手段は、前記判別手段により通信を開始すると判別された際に、受信しているテレビ放送に関するテレビ情報を、前記判別情報と対応付けて記憶している識別情報が示す携帯通信端末に送信することを特徴とする請求項１記載のテレビ放送受信装置。
【請求項３】
前記判別情報記憶手段は、前記判別情報として、テレビ放送に関するテレビ情報のキーワードを記憶し、
前記現在状況取得手段は、現在の状況として、受信しているテレビ放送に関するテレビ情報を取得し、
前記判別手段は、取得したテレビ情報と記憶しているキーワードとに基づいて、前記携帯通信端末との間で通信を開始するか否かを判別することを特徴とする請求項１または２に記載のテレビ放送受信装置。
【請求項４】
前記判別情報記憶手段は、前記判別情報として、時刻情報を記憶し、
前記現在状況取得手段は、現在の状況として、現在時刻を取得し、
前記判別手段は、取得した現在時刻と記憶している時刻情報とに基づいて、前記携帯通信端末との間で通信を開始するか否かを判別することを特徴とする請求項１または２に記載のテレビ放送受信装置。
【請求項５】
前記判別情報記憶手段は、前記判別情報として、携帯通信端末の識別情報を記憶し、
前記現在状況取得手段は、現在の状況として、前記記憶されている識別情報が示す携帯通信端末が通信可能な位置に存在するか否かの状況を取得し、
前記判別手段は、取得した状況と記憶している識別情報とに基づいて、前記携帯通信端末との間で通信を開始するか否かを判別することを特徴とする請求項１記載のテレビ放送受信装置。
【請求項６】
前記判別手段により、前記携帯通信端末との間で通信を開始すると判別された際に、前記携帯通信端末の電源をオンする制御信号を送信する制御信号送信手段をさらに具備することを特徴とする請求項１乃至５のいずれか１項に記載のテレビ放送受信装置。
【請求項７】
前記判別手段により、前記携帯通信端末との間で通信を開始すると判別された際に、テレビ情報を送信すべき携帯通信端末が通信可能な位置に存在するか否かを検出する検出手段と、
前記検出手段により携帯通信端末が検出されない場合、受信しているテレビ放送を記録するテレビ放送記録手段と、
ユーザ指示により前記テレビ放送記録手段により記録されたテレビ放送を再生する再生手段と
をさらに具備することを特徴とする請求項１または２に記載のテレビ放送受信装置。
【請求項８】
前記検出手段により携帯通信端末が検出されない場合、受信しているテレビ放送に関するテレビ情報を記録するテレビ情報記録手段をさらに具備し、
前記テレビ情報送信手段は、前記再生手段により、ユーザ指示により記録されたテレビ放送を再生する際に、前記テレビ情報記録手段に記録されたテレビ情報を、前記携帯通信端末に送信することを特徴とする請求項７記載のテレビ放送受信装置。
【請求項９】
前記判別手段により、前記携帯通信端末との間で通信を開始すると判別された際に、テレビ情報を送信すべき携帯通信端末が通信可能な位置に存在するか否かを検出する検出手段と、
前記検出手段により携帯通信端末が検出されない場合、受信しているテレビ放送に関するテレビ情報を記録するテレビ情報記録手段と、
前記テレビ情報記録手段によるテレビ情報の記録後、前記携帯通信端末が通信可能な位置に存在するか否かを定期的に検出する定期検出手段とをさらに具備し、
前記テレビ情報送信手段は、前記定期検出手段により前記携帯通信端末が検出された場合には、前記テレビ情報記録手段に記録されたテレビ情報を前記携帯通信端末に送信することを特徴とする請求項１または２に記載のテレビ放送受信装置。
【請求項１０】
前記テレビ情報送信手段によりテレビ情報を前記携帯通信端末に送信した際に、自身のデータ放送の提示を停止するデータ放送停止手段をさらに具備することを特徴とする請求項１または２に記載のテレビ放送受信装置。
【請求項１１】
携帯通信端末と通信可能なテレビ放送受信装置におけるコンピュータに、
前記携帯通信端末との間で通信を開始するか否かを判別するための判別情報を記憶する判別情報記憶機能、
現在の状況を取得する現在状況取得機能、
前記取得された現在の状況と、前記記憶されている判別情報とに基づいて、前記携帯通信端末との間で通信を開始するか否かを判別する判別機能、
前記通信を開始すると判別された際に、受信しているテレビ放送に関するテレビ情報を前記携帯通信端末に送信するテレビ情報送信機能
を実現させることを特徴とするプログラム。
【発明の詳細な説明】
【技術分野】
【０００１】
本発明は、テレビ放送受信装置及びプログラムに関する。
【背景技術】
【０００２】
テレビのデータ放送では、視聴中のテレビ番組やＣＭに関連する情報、さらに詳しい情報を蓄積しているＷＥＢサイトのアドレス情報などのテレビ情報を、テレビ番組やＣＭの映像に重ねて表示したり、テレビ画面の特定の領域に表示したりしている（例えば、特許文献１参照）。また、データ放送が不要な視聴者のために、データ放送を非表示にする機能がある。
【０００３】
【特許文献１】特開平０９−２３３４３９号公報
【発明の開示】
【発明が解決しようとする課題】
【０００４】
しかしながら、上記従来技術では、据え置き型のテレビを家族で視聴しているような場合、データ放送の必要性は人それぞれで異なる。このため、データ放送を表示していると、不要な人のテレビ視聴の邪魔になり、データ放送を非表示にしていると、必要な人が見ることができないという問題があった。
【０００５】
そこで本発明は、テレビ放送における、テレビ番組やＣＭに関する付随情報などのテレビ情報を、それを不要としている人のテレビ視聴を邪魔せずに、それを必要としている視聴者が見ることができるように、適切なタイミングでテレビ情報を携帯通信端末に送信することができるテレビ放送受信装置及びプログラムを提供することを目的とする。
【課題を解決するための手段】
【０００６】
上記目的達成のため、請求項１、１１記載の発明は、携帯通信端末との間で通信を開始するか否かを判別するための判別情報を記憶しておき、取得された現在の状況と、記憶されている判別情報とに基づいて、携帯通信端末との間で通信を開始するか否かを判別し、通信を開始すると判別された際に、受信しているテレビ放送に関するテレビ情報を携帯通信端末に送信することを特徴とする。
【０００７】
また、好ましい態様として、例えば請求項２記載のように、請求項１記載のテレビ放送受信装置において、前記判別情報記憶手段は、前記判別情報に対応付けて携帯通信端末の識別情報をさらに記憶しておき、前記テレビ情報送信手段は、前記判別手段により通信を開始すると判別された際に、受信しているテレビ放送に関するテレビ情報を、前記判別情報と対応付けて記憶している識別情報が示す携帯通信端末に送信するようにしてもよい。
【０００８】
また、好ましい態様として、例えば請求項３記載のように、請求項１または２に記載のテレビ放送受信装置において、前記判別情報記憶手段は、前記判別情報として、テレビ放送に関するテレビ情報のキーワードを記憶し、前記現在状況取得手段は、現在の状況として、受信しているテレビ放送に関するテレビ情報を取得し、前記判別手段は、取得したテレビ情報と記憶しているキーワードとに基づいて、前記携帯通信端末との間で通信を開始するか否かを判別するようにしてもよい。
【０００９】
また、好ましい態様として、例えば請求項４記載のように、請求項１または２に記載のテレビ放送受信装置において、前記判別情報記憶手段は、前記判別情報として、時刻情報を記憶し、前記現在状況取得手段は、現在の状況として、現在時刻を取得し、前記判別手段は、取得した現在時刻と記憶している時刻情報とに基づいて、前記携帯通信端末との間で通信を開始するか否かを判別するようにしてもよい。
【００１０】
また、好ましい態様として、例えば請求項５記載のように、請求項１記載のテレビ放送受信装置において、前記判別情報記憶手段は、前記判別情報として、携帯通信端末の識別情報を記憶し、前記現在状況取得手段は、現在の状況として、前記記憶されている識別情報が示す携帯通信端末が通信可能な位置に存在するか否かの状況を取得し、前記判別手段は、取得した状況と記憶している識別情報とに基づいて、前記携帯通信端末との間で通信を開始するか否かを判別するようにしてもよい。
【００１１】
また、好ましい態様として、例えば請求項６記載のように、請求項１乃至５のいずれか１項に記載のテレビ放送受信装置において、前記判別手段により、前記携帯通信端末との間で通信を開始すると判別された際に、前記携帯通信端末の電源をオンする制御信号を送信する制御信号送信手段をさらに具備するようにしてもよい。
【００１２】
また、好ましい態様として、例えば請求項７記載のように、請求項１また２に記載のテレビ放送受信装置において、前記判別手段により、前記携帯通信端末との間で通信を開始すると判別された際に、テレビ情報を送信すべき携帯通信端末が通信可能な位置に存在するか否かを検出する検出手段と、前記検出手段により携帯通信端末が検出されない場合、受信しているテレビ放送を記録するテレビ放送記録手段と、ユーザ指示により前記テレビ放送記録手段により記録されたテレビ放送を再生する再生手段とをさらに具備するようにしてもよい。
【００１３】
また、好ましい態様として、例えば請求項８記載のように、請求項７記載のテレビ放送受信装置において、前記検出手段により携帯通信端末が検出されない場合、受信しているテレビ放送に関するテレビ情報を記録するテレビ情報記録手段をさらに具備し、前記テレビ情報送信手段は、前記再生手段により、ユーザ指示により記録されたテレビ放送を再生する際に、前記テレビ情報記録手段に記録されたテレビ情報を、前記携帯通信端末に送信するようにしてもよい。
【００１４】
また、好ましい態様として、例えば請求項９記載のように、請求項１または２に記載のテレビ放送受信装置において、前記判別手段により、前記携帯通信端末との間で通信を開始すると判別された際に、テレビ情報を送信すべき携帯通信端末が通信可能な位置に存在するか否かを検出する検出手段と、前記検出手段により携帯通信端末が検出されない場合、受信しているテレビ放送に関するテレビ情報を記録するテレビ情報記録手段と、前記テレビ情報記録手段によるテレビ情報の記録後、前記携帯通信端末が通信可能な位置に存在するか否かを定期的に検出する定期検出手段とをさらに具備し、前記テレビ情報送信手段は、前記定期検出手段により前記携帯通信端末が検出された場合には、前記テレビ情報記録手段に記録されたテレビ情報を前記携帯通信端末に送信するようにしてもよい。
【００１５】
また、好ましい態様として、例えば請求項１０記載のように、請求項１または２に記載のテレビ放送受信装置において、前記テレビ情報送信手段によりテレビ情報を前記携帯通信端末に送信した際に、自身のデータ放送の提示を停止するデータ放送停止手段をさらに具備するようにしてもよい。
【発明の効果】
【００１６】
この発明によれば、テレビ放送における、テレビ番組やＣＭに関する付随情報などのテレビ情報を、それを不要としている人のテレビ視聴を邪魔せずに、それを必要としている視聴者が見ることができるように、適切なタイミングでテレビ情報を携帯通信端末に送信することができるという利点が得られる。
【発明を実施するための最良の形態】
【００１７】
以下、本発明の実施の形態を、図面を参照して説明する。
【００１８】
Ａ．実施形態の構成
図１は、本発明の実施形態によるテレビ放送受信装置および携帯通信端末からなるシステム構成を示すブロック図である。図において、テレビ局１は、所定のスケジュールに従ってテレビ番組やＣＭを送信局２から地上波デジタル放送（１セグ放送を含む）の放送信号で送信する。該テレビ局１は、ネットワーク３に接続されており、ネットワーク３上のデータ放送用サーバ４に蓄積されている、テレビ放送に関するテレビ情報（視聴中のテレビ番組やＣＭに関連する情報）や、さらに詳しい情報を蓄積しているＷＥＢサイトのアドレス情報などのデータを、テレビ番組やＣＭの放送信号に重畳させて送信する。データ放送用サーバ４は、上記テレビ情報や、ＷＥＢサイトのアドレス情報などのデータなどを蓄積している。
【００１９】
テレビ放送受信装置５は、送信局２から送信される地上波デジタル放送の放送信号を受信してユーザに提示する。また、携帯通信端末６は、例えば、携帯電話などからなり、地上波デジタル放送（１セグ放送）の放送信号を受信してユーザに提示する。テレビ放送受信装置５と携帯通信端末６は、赤外線通信（あるいは、無線ＬＡＮなど）により情報を送受信可能となっており、テレビ放送、テレビ放送に関わるテレビ情報などを赤外線通信により送受信するようになっている。
【００２０】
次に、図２は、本実施形態によるテレビ放送受信装置５の構成を示すブロック図である。図において、テレビ放送受信装置５は、テレビ放送受信部５−１、赤外線通信送受信部５−２、音声信号処理部５−３、表示部５−４、操作部５−５、ＲＴＣ５−６、ＲＯＭ５−７、ＲＡＭ５−８および中央制御部５−９からなる。テレビ放送受信部５−１は、送信局２から送信される地上波デジタル放送の放送信号を受信する。赤外線通信送受信部５−２は、赤外線により携帯通信端末６と通信して所定の情報を送受信する。
【００２１】
音声信号処理部５−３は、テレビ放送の音声信号を音声出力する。表示部５−４は、テレビ放送の映像やテレビ情報、データ放送などを表示する。操作部５−５は、チャネル操作、音量操作などのテレビ放送視聴に係る各種操作を行う。ＲＴＣ５−６は、実時間を計時する。ＲＯＭ５−７は、所定のプログラムや各種パラメータなどを記憶する。ＲＡＭ５−８は、各種データを記憶する。特に、本実施形態では、判別情報格納部５−８−１および録画データ格納部５−８−２を備えている。判別情報格納部５−８−１は、携帯通信端末６との間で通信を開始するか否かを判別するための判別情報を格納する。録画データ格納部５−８−２は、録画データを格納する。
【００２２】
中央制御部５−９は、上述したＲＯＭ５−７に記憶されている、所定のプログラムに従って各部を制御する。特に、本実施形態では、中央制御部５−９は、携帯通信端末６との間で通信を開始するか否かを判別するための判別情報（後述）を登録したり、該判別情報に従ってテレビ情報を所定の携帯通信端末６に送信したり、テレビ放送を録画、再生したりする。
【００２３】
次に、図３は、本実施形態による携帯通信端末６の構成を示すブロック図である。図において、携帯通信端末６は、テレビ放送受信部６−１、赤外線通信送受信部６−２、音声信号処理部６−３、表示部６−４、操作部６−５、ＲＴＣ６−６、ＲＯＭ６−７およびＲＡＭ６−８、中央制御部６−９からなる。テレビ放送受信部６−１は、送信局２から送信される地上波デジタル放送（１セグ）の放送信号を受信する。赤外線通信送受信部６−２は、赤外線によりテレビ放送受信装置５と通信して所定の情報を送受信する。
【００２４】
音声信号処理部６−３は、マイクからの音声を取り込み、デジタル信号に変換して中央制御部６−９に供給する一方、音声信号をアナログ信号に変換してスピーカから出力する。表示部６−４は、液晶表示器などからなり、各種メッセージや、テレビ放送の映像などを表示する。操作部６−５は、各種データ、動作指示などを入力する。
【００２５】
ＲＴＣ６−６は、実時間を計時する。ＲＯＭ６−７は、所定のプログラムや各種パラメータなどを記憶する。ＲＡＭ６−８は、各種データを記憶する。中央制御部６−９は、上述したＲＯＭ６−７に記憶されている、所定のプログラムに従って各部を制御する。特に、本実施形態では、中央制御部６−９は、電源オンにされるか、テレビ放送受信装置５からの電源オン信号に従って電源オンとすると、テレビ放送受信装置５からのテレビ情報を受信し、該テレビ情報に従ってテレビ放送を受信してデータ放送を表示部６−４に出力する。
【００２６】
次に、図４は、テレビ放送受信装置５のＲＡＭ５−８に設けられた判別情報格納部５−８−１に記憶されている判別情報を示す概念図である。図において、判別情報格納部５−８−１には、情報を識別する情報ＩＤ毎に、判別情報、端末ＩＤ、定期検出フラグが格納されている。判別情報は、携帯通信端末６との間で通信を開始する際の条件が記述された情報であり、情報を判別するための情報として、キーワード、時刻、端末ＩＤからなる。
【００２７】
キーワードは、送信すべきテレビ情報を識別するための情報であり、テレビ情報に該キーワード（文字列）が含まれている場合に、該当テレビ情報が携帯通信端末６に送信される。時刻は、受信しているテレビ放送のテレビ情報を携帯通信端末６に送信するタイミング、すなわち送信時刻を示す情報である。端末ＩＤは、テレビ情報を送信すべき携帯通信端末６を識別するための情報である。
【００２８】
また、端末ＩＤは、テレビ情報を送信すべき携帯通信端末６を識別するための情報である。定期検出フラグは、判別情報を定期的にチェックするか否かを示すフラグである。判別情報として端末ＩＤを登録した場合、テレビ情報を携帯通信端末６に送信するはずが携帯通信端末６と通信できなかった場合にオンに設定される。該定期検出フラグがオンの場合には、テレビ放送受信装置５におけるメインルーチンで、定期検出フラグがオンになっている判別情報が示す端末ＩＤの携帯通信端末６と通信可能か否かが定期的にチェックされ、通信可能な場合に、該当する携帯通信端末６にテレビ情報が送信されることになる。
【００２９】
図示の例では、情報ＩＤ「０１」の場合には、「サッカー番組が始まったら、端末ＡＡＡに、番組情報を送信する」ということを意味し、情報ＩＤ「０２」の場合には、「○○○という番組が始まったら、端末ＡＡＡと端末ＢＢＢとに、テレビ情報を送信する」、情報ＩＤ「０３」の場合には、「自動車のＣＭが始まったら、端末ＣＣＣに、テレビ情報を送信する」、情報ＩＤ「０４」の場合には、「月曜の２１：００になったら、端末ＡＡＡに、テレビ情報を送信する」、情報ＩＤ「０５」の場合には、「端末ＤＤＤが通信可能になったら、テレビ情報を送信する」ということを意味する。
【００３０】
次に、図５は、テレビ放送受信装置５のＲＡＭ５−８に設けられた録画データ格納部５−８−２に記憶される録画データを示す概念図である。録画データ格納部５−８−２には、録画データを識別するための録画データＩＤ毎に、録画データ、テレビ情報、情報ＩＤが記憶される。録画データＩＤは、録画データを識別するための情報である。録画データは、録画されたテレビ放送であり、テレビ情報は、録画したテレビ放送に関するテレビ情報である。情報ＩＤは、どの判別情報が一致したのが契機で録画したのかを示す。後で、該テレビ情報がその判別情報で示される端末ＩＤの携帯通信端末６に送信される。
【００３１】
テレビ放送は、上述した判別情報に従ってテレビ情報を送信しようとしたときに、送信すべき携帯通信端末６が電源オフで、テレビ放送受信装置５からの応答に応じない場合や、送信すべき携帯通信端末６（またはユーザ）がテレビ放送受信装置５の近傍にいないなどの理由により、テレビ情報を送信できない場合に自動的に録画されることになる。
【００３２】
Ｂ．実施形態の動作
次に、上述した実施形態の動作について説明する。ここで、図６は、本実施形態によるテレビ放送受信装置５の動作を説明するためのフローチャート（メインルーチン）である。
【００３３】
テレビ放送受信装置５では、まず、視聴を開始する操作があったか否かを判断し（ステップＳ１０）、視聴を開始する操作があると、テレビ放送受信部５−１により、テレビ放送の受信を開始し（ステップＳ１２）、受信したテレビ放送の表示部５−４への出力を開始する（ステップＳ１４）。次に、判別情報の登録操作があったか否か（ステップＳ１６）、受信しているテレビ情報が更新されたか否か（ステップＳ１８）、現在時刻が更新されたか否か（ステップＳ２０）、定期検出フラグがオンであるか否か（ステップＳ２２）、録画データ再生操作があったか否か（ステップＳ２４）、視聴の終了操作があったか否かを判断する（ステップＳ２６）。
【００３４】
まず、ステップＳ１６で、判別情報の登録操作があったと判断された場合には、判別情報を登録するための判別情報登録処理を実行し（ステップＳ２８）、次のステップＳ１８へ進む。なお、判別情報登録処理の詳細については後述する。
【００３５】
一方、ステップＳ１８で、受信しているテレビ情報が更新されたと判断された場合には、受信したテレビ情報に、判別情報として登録されているキーワードが含まれているか否かを判断する（ステップＳ３０）。そして、登録されているキーワードが含まれている場合には、通信処理Ａを実行し（ステップＳ３２）、キーワードが含まれていない場合には、何もすることなく、次のステップＳ２０へ進む。
【００３６】
通信処理Ａでは、送信すべき携帯通信端末６がある場合、受信しているテレビ情報を該携帯通信端末６に送信する一方、送信すべき携帯端末６が応答しない場合、テレビ放送を録画するとともに、テレビ情報を記憶し、定期検出フラグをオンするようになっている。なお、通信処理Ａの詳細な動作について後述する。
【００３７】
一方、ステップＳ２０で、現在時刻が更新されたと判断された場合には、更新された現在時刻が判別情報として登録されている時刻と一致したか否かを判断し（ステップＳ３４）、一致している場合には、上記通信処理Ａを実行し（ステップＳ３６）、一致していない場合には、何もすることなく、次のステップＳ２２へ進む。
【００３８】
また、ステップＳ２２で、定期検出フラグがオンであると判断された場合には、後述する通信処理Ｂを実行し（ステップＳ３８）、次のステップＳ２４へ進む。通信処理Ｂでは、テレビ情報を送信すべき携帯通信端末６が通信可能か否かを判別し、通信可能であれば、判別情報が端末ＩＤの場合、該携帯通信端末６に受信しているテレビ情報を送信する一方、判別情報が端末ＩＤ以外の場合、記録されているテレビ情報を送信するようになっている。なお、通信処理Ｂの詳細な動作について後述する。
【００３９】
また、ステップＳ２４で、録画データの再生操作が行われたと判断された場合には、録画したデータを再生するとともに、記憶したテレビ情報を携帯通信端末６に送信する再生＆通信処理を実行し、次のステップへ進む。該再生＆通信処理の詳細な動作については後述する。また、ステップＳ２４で、視聴終了操作があったと判断された場合には、テレビ放送の視聴を終了する視聴終了処理を実行し（ステップＳ４２）、当該処理を終了する。
【００４０】
一方、上述した、ステップＳ１６〜Ｓ２６において、いずれもＮＯの場合には、ステップＳ１６へ戻り、上述した処理を繰り返す。
【００４１】
次に、図７は、上述した判別情報登録処理を説明するためのフローチャートである。
テレビ放送受信装置５では、まず、判別情報の種類（キーワード、時刻、端末ＩＤ）を表示し（ステップＳ５０）、テレビ放送受信装置５のユーザ操作によりキーワードが選択されたか（ステップＳ５２）、時刻が選択されたか（ステップＳ５４）、端末ＩＤが選択されたか否か（ステップＳ５６）を判断する。そして、キーワードが選択された場合には、操作部５−５によりキーワードを入力させる（ステップＳ５８）。
【００４２】
次に、端末ＩＤを取得したか否かを判断し（ステップＳ６０）、端末ＩＤを取得すると、キーワードと端末ＩＤとを登録する（ステップＳ６２）。なお、端末ＩＤは、携帯通信端末６を近接させて、赤外線通信送受信部５−２により通信することで取得する。次に、定期検出フラグをオフにし（ステップＳ６４）、当該処理を終了して上述したメインルーチンに戻る。
【００４３】
一方、時刻が選択された場合には、操作部５−５により時刻情報を入力させ（ステップＳ６６）、端末ＩＤを取得したか否かを判断し（ステップＳ６８）、端末ＩＤを取得すると時刻情報と端末ＩＤとを登録し（ステップＳ７０）、定期検出フラグをオフにし（ステップＳ７２）、当該処理を終了して上述したメインルーチンに戻る。
【００４４】
一方、端末ＩＤが選択された場合には、赤外線通信送受信部５−２により端末ＩＤを取得したか否かを判断し（ステップＳ７４）、端末ＩＤを取得すると、該端末ＩＤを登録する（ステップＳ７６）。次に、定期検出フラグをオンにし（ステップＳ７８）、当該処理を終了して上述したメインルーチンに戻る。
【００４５】
次に、図８は、上述した通信処理Ａを説明するためのフローチャートである。該通信処理Ａは、前述したように、受信しているテレビ情報が更新された際に、受信したテレビ情報に、判別情報として登録されているキーワードが含まれている場合、あるいは現在時刻が更新された際に、更新された現在時刻が、判別情報として登録されている時刻と一致している場合に実行される処理である。
【００４６】
テレビ放送受信装置５では、まず、判別情報から、テレビ情報を送信すべき携帯通信端末６の端末ＩＤを読み出し（ステップＳ８０）、通信可能な携帯通信端末６の端末ＩＤを検出し（ステップＳ８２）、送信すべき携帯通信端末６が通信可能であるか否かを判断する（ステップＳ８４）。そして、送信すべき携帯通信端末６が通信可能である場合には、該携帯通信端末６に受信しているテレビ情報を送信し（ステップＳ８６）、定期検出フラグをオフにする（ステップＳ８８）。
【００４７】
次に、データ放送非表示の確認メッセージを表示部５−４に表示し（ステップＳ９０）、非表示が指示されたか否かを判断し（ステップＳ９２）、非表示が指示された場合には、データ放送を非表示とし（ステップＳ９４）、指示されなかった場合には、非表示に設定することなく、当該処理を終了して上述したメインルーチンに戻る。
【００４８】
一方、送信すべき携帯通信端末６が通信可能でなかった場合には、赤外線通信送受信部５−２により、電源オン信号を送信する（ステップＳ９６）。このように、電源オン信号を送信することで、近傍に存在する場合には、携帯通信端末６の電源がオフになっていても、強制的に電源をオン状態にして通信可能状態にする。次に、通信可能な携帯通信端末６の端末ＩＤを検出し（ステップＳ９８）、送信すべき携帯通信端末６が通信可能であるか否かを判断する（ステップＳ１００）。
【００４９】
そして、送信すべき携帯通信端末６が通信可能になった場合には、上述したステップＳ８６以降へ進む。一方、電源オン信号を送信しても、送信すべき携帯通信端末６が通信可能にならない場合には、テレビ放送を録画し（ステップＳ１０２）、該テレビ放送に関するテレビ情報を記憶し（ステップＳ１０４）、定期検出フラグをオンにし（ステップＳ１０６）、当該処理を終了して上述したメインルーチンに戻る。
【００５０】
次に、図９は、上述した通信処理Ｂを説明するためのフローチャートである。該通信処理Ｂは、前述したように、定期検出フラグがオンのときに実行される処理である。
【００５１】
テレビ放送受信装置５では、まず、定期検出フラグがオンになっている判別情報から、テレビ情報を送信すべき携帯通信端末６の端末ＩＤを読み出し（ステップＳ１１０）、通信可能な携帯通信端末６の端末ＩＤを検出し（ステップＳ１１２）、送信すべき携帯通信端末６が通信可能であるか否かを判断する（ステップＳ１１４）。そして、送信すべき携帯通信端末６が通信可能である場合には、判別情報が端末ＩＤであるか否かを判断する（ステップＳ１１６）。
【００５２】
ここで、判別情報が端末ＩＤであった場合には、赤外線通信送受信部５−２により、受信しているテレビ情報を送信し（ステップＳ１１８）、データ放送非表示の確認メッセージを表示部５−４に表示する（ステップＳ１２０）。そして、非表示が指示されたか否かを判断し（ステップＳ１２２）、非表示が指示された場合には、データ放送を非表示とし（ステップＳ１２４）、指示されなかった場合には、非表示に設定することなく、当該処理を終了して上述したメインルーチンに戻る。
【００５３】
一方、判別情報が端末ＩＤでない場合には、赤外線通信送受信部５−２により、記憶されているテレビ情報を送信し（ステップＳ１２６）、定期検出フラグをオフにする（ステップＳ１２８）。その後、当該処理を終了して上述したメインルーチンに戻る。
【００５４】
また、送信すべき携帯通信端末６が通信可能でない場合には、赤外線通信送受信部５−２により、電源オン信号を送信し（ステップＳ１３０）、通信可能な携帯通信端末６の端末ＩＤを検出し（ステップＳ１３２）、送信すべき携帯通信端末６が通信可能になったか否かを判断する（ステップＳ１３４）。そして、送信すべき携帯通信端末６が通信可能になった場合には、上述したステップＳ１１６以降へ進む。一方、送信すべき携帯通信端末６が通信可能にならない場合には、当該処理を終了して上述したメインルーチンに戻る。
【００５５】
次に、図１０は、上述した再生＆通信処理を説明するためのフローチャートである。
テレビ放送受信装置５では、まず、録音データを再生し（ステップＳ１４０）、再生している録画データと対応付けて記憶されている情報ＩＤが示す判別情報から、テレビ情報を送信すべき携帯通信端末６の端末ＩＤを読み出す（ステップＳ１４２）。次に、通信可能な携帯通信端末６の端末ＩＤを検出し（ステップＳ１４４）、送信すべき携帯通信端末６が通信可能であるか否かを判断する（ステップＳ１４６）。そして、送信すべき携帯通信端末６が通信可能である場合には、記憶されているテレビ情報を送信し（ステップＳ１４８）、定期検出フラグをオフにする（ステップＳ１５０）。
【００５６】
次に、データ放送非表示の確認メッセージを表示し（ステップＳ１５２）、非表示が指示されたか否かを判断し（ステップＳ１５４）、非表示が指示された場合には、データ放送を非表示とし（ステップＳ１５６）、指示されなかった場合には、非表示に設定することなく、当該処理を終了して上述したメインルーチンに戻る。
【００５７】
一方、送信すべき携帯通信端末６が通信可能でない場合には、赤外線通信送受信部５−２から電源オン信号を送信し（ステップＳ１５８）、通信可能な携帯通信端末６の端末ＩＤを検出し（ステップＳ１６０）、送信すべき携帯通信端末６が通信可能になったか否かを判断する（ステップＳ１６２）。そして、送信すべき携帯通信端末６が通信可能になった場合には、上述したステップＳ１４８以降へ進む。一方、送信すべき携帯通信端末６が通信可能にならない場合には、当該処理を終了して上述したメインルーチンに戻る。
【００５８】
次に、図１１は、上述した携帯通信端末６の動作を説明するためのフローチャート（メインルーチン）である。携帯通信端末６では、まず、電源オン操作があったか否かを判断し（ステップＳ２００）、電源オン操作がない場合には、赤外線通信送受信部６−２により、テレビ放送受信装置５から電源オン信号を受信したか否かを判断する（ステップＳ２０２）。そして、電源オン信号を受信していない場合には、ステップＳ２００に戻る。
【００５９】
一方、電源オン操作があった場合、あるいは電源オン信号を受信した場合には、電源をオンにし（ステップＳ２０４）、テレビ放送受信装置５からテレビ情報を受信したか否かを判断する（ステップＳ２０６）。そして、テレビ情報を受信した場合には、該テレビ情報に基づいて、テレビ放送受信部６−１によりテレビ放送のテータ放送を受信し（ステップＳ２０８）、受信したデータ放送を表示部６−４に出力する（ステップＳ２１０）。その後、当該処理を終了する。
【００６０】
上述した実施形態のテレビ放送受信装置５によれば、以下の効果が得られる。
本実施形態によれば、携帯通信端末６との間で通信を開始するか否かを判別するための判別情報を記憶しておき、取得された現在の状況と、記憶されている判別情報とに基づいて、携帯通信端末との間で通信を開始するか否かを判別し、通信を開始すると判別された場合に、受信しているテレビ放送に関するテレビ情報を携帯通信端末６に送信するようにしたので、適切なタイミングで、テレビ放送に関するテレビ情報を携帯通信端末６に送信することができる。
【００６１】
また、本実施形態によれば、判別情報に対応付けて携帯通信端末６の端末ＩＤをさらに記憶しておき、通信を開始すると判別された際に、受信しているテレビ放送に関するテレビ情報を、判別情報と対応付けて記憶している端末ＩＤが示す携帯通信端末６に送信するようにしたので、適切なタイミングで、適切な携帯通信端末６に、テレビ情報を送信することができる。
【００６２】
また、本実施形態によれば、判別情報として、テレビ放送に関するテレビ情報のキーワードを記憶し、受信しているテレビ放送に関するテレビ情報に上記キーワードが含まれる場合、携帯通信端末６との間で通信を開始するようにしたので、ユーザが所望するテレビ番組やＣＭの放送されている際に、そのテレビ情報を携帯通信端末６に送信することができる。
【００６３】
また、本実施形態によれば、判別情報として、携帯通信端末６との間で通信を開始する時刻を記憶し、現在時刻が記憶している時刻になると、携帯通信端末６との間で通信を開始するようにしたので、ユーザが所望する時刻に、テレビ情報を携帯通信端末６に送信することができる。
【００６４】
また、本実施形態によれば、判別情報として、携帯通信端末６の端末ＩＤを記憶し、該端末ＩＤが示す携帯通信端末６が通信可能な位置に存在するか否かの状況を取得し、取得した状況に従って、端末ＩＤが示す携帯通信端末６との間で通信を開始するようにしたので、携帯通信端末６がテレビ放送受信装置５に接近するなどして通信が可能になった際に、テレビ情報を携帯通信端末６に送信することができる。
【００６５】
また、本実施形態によれば、携帯通信端末６との間で通信を開始すると判別された際に、通信すべき携帯通信端末６が検出できない場合に、携帯通信端末６の電源をオンする制御信号を送信して電源オン状態とするようにしたので、携帯通信端末６の電源がオフになっている場合でも、電源をオンにしてテレビ情報を送信することができる。
【００６６】
また、本実施形態によれば、携帯通信端末６との間で通信を開始すると判別された際に、テレビ情報を送信すべき携帯通信端末６が通信可能な位置に存在しないなどの理由により、携帯通信端末６が検出されない場合、受信しているテレビ放送を記録し、ユーザ指示により記録されたテレビ放送を再生するようにしたので、後からユーザが視聴することができる。
【００６７】
また、本実施形態によれば、携帯通信端末６が検出されない場合、受信しているテレビ放送に関するテレビ情報を記録し、ユーザ指示により記録されたテレビ放送を再生する際に、記録されたテレビ情報を、携帯通信端末６に送信するようにしたので、ユーザが記録されたテレビ放送の視聴操作を行うだけで、記録したテレビ情報を送信することができる。
【００６８】
また、本実施形態によれば、携帯通信端末６との間で通信を開始すると判別された際に、テレビ情報を送信すべき携帯通信端末６が通信可能な位置に存在しないなどの理由により、携帯通信端末６が検出されない場合、受信しているテレビ放送に関するテレビ情報を記録し、テレビ情報の記録後、携帯通信端末６が通信可能な位置に存在するか否かを定期的に検出し、該定期的な検出により携帯通信端末６が検出された場合には、記録されたテレビ情報を携帯通信端末６に送信するようにしたので、テレビ情報を送信する際に、携帯通信端末６が通信可能でない場合であっても、通信可能になった時点で、そのテレビ情報を送信することができる。
【００６９】
また、本実施形態によれば、テレビ情報を携帯通信端末６に送信した際に、自身のデータ放送の提示を停止するようにしたので、データ放送（テレビ情報）が不要な視聴者は、通常通り、テレビ放送のみを視聴することができ、データ放送が不要な視聴者のテレビ視聴を快適にすることができる。
【００７０】
なお、上述した実施形態では、テレビ放送として、地上波デジタル放送について説明したが、地上波デジタル放送に限らず、テレビ放送であればよい。また、テレビ情報は、放送信号に重畳されていなくても、放送信号と別々に送信されるものでもよい。また、テレビ放送受信装置５と携帯通信端末６との間の通信は、赤外線通信に限らず、Ｂｌｕｅｔｏｏｔｈなど他の直接通信でもよいし、無線ＬＡＮなどの中継局を介した通信でもよい。
【図面の簡単な説明】
【００７１】
【図１】本発明の実施形態によるテレビ放送受信装置および携帯通信端末からなるシステム構成を示すブロック図である。
【図２】本実施形態によるテレビ放送受信装置５の構成を示すブロック図である。
【図３】本実施形態による携帯通信端末６の構成を示すブロック図である。
【図４】テレビ放送受信装置５のＲＡＭ５−８に設けられた判別情報格納部５−８−１に記憶されている判別情報を示す概念図である。
【図５】テレビ放送受信装置５のＲＡＭ５−８に設けられた録画データ格納部５−８−２に記憶される録画データを示す概念図である。
【図６】本実施形態によるテレビ放送受信装置５の動作を説明するための（メイン）フローチャートである。
【図７】判別情報登録処理を説明するためのフローチャートである。
【図８】通信処理Ａを説明するためのフローチャートである。
【図９】通信処理Ｂを説明するためのフローチャートである。
【図１０】再生＆通信処理を説明するためのフローチャートである。
【図１１】携帯通信端末の動作を説明するための（メイン）フローチャートである。
【符号の説明】
【００７２】
１  テレビ局
２  送信局
３  ネットワーク
４  データ放送用サーバ
５  テレビ放送受信装置
６  携帯通信端末
５−１  テレビ放送受信部
５−２  赤外線通信送受信部
５−３  音声信号処理部
５−４  表示部
５−５  操作部
５−６  ＲＴＣ
５−７  ＲＯＭ
５−８  ＲＡＭ
５−８−１  判別情報格納部
５−８−２  録画データ格納部
５−９  中央制御部
６−１  テレビ放送受信部
６−２  赤外線通信送受信部
６−３  音声信号処理部
６−４  表示部
６−５  操作部
６−６  ＲＴＣ
６−７  ＲＯＭ
６−８  ＲＡＭ
６−９  中央制御部
【図１】
2008035056.tif 000003
【図２】
2008035056.tif 000004
【図３】
2008035056.tif 000005
【図４】
2008035056.tif 000006
【図５】
2008035056.tif 000007
【図６】
2008035056.tif 000008
【図７】
2008035056.tif 000009
【図８】
2008035056.tif 000010
【図９】
2008035056.tif 000011
【図１０】
2008035056.tif 000012
【図１１】
2008035056.tif 000013